(57)【要約】【課題】ミラーユニットのガタつきを安定的に防止することが可能な電子ビューファインダーを提供する。【解決手段】画像表示装置と、画像表示装置の画像を反射するミラー１と、ミラー１を保持するプレートＢ３と、プレートＢ３が取り付けられるレンズ部筐体１０１と、を備えた電子ビューファインダーであって、プレートＢ３の外周部には、プレートＢ３を筐体１０１に取り付けた状態において筐体１０１に押圧力を与える弾性部（弾性屈曲リブ３ｅ）が設けられている、電子ビューファインダーとする。【選択図】図１
2020020941.tif 000002
【特許請求の範囲】
【請求項１】
画像表示装置と、
当該画像表示装置が表示した画像を反射するミラーと、
当該ミラーを保持するミラー保持具と、
当該ミラー保持具が取り付けられる筐体と、
を備えた電子ビューファインダーであって、
前記ミラー保持具の外周部には、前記ミラー保持具を前記筐体に取り付けた状態において前記筐体に押圧力を与える弾性部が設けられている、
ことを特徴とする電子ビューファインダー。
【請求項２】
前記弾性部は、前記筐体に前記押圧力を与える方向へ撓むことにより、前記筐体に前記押圧力を与えることを特徴とする請求項１に記載の電子ビューファインダー。
【請求項３】
前記弾性部は、前記ミラー保持具と一体的に形成されていることを特徴とする請求項１又は２に記載の電子ビューファインダー。
【発明の詳細な説明】
【技術分野】
【０００１】
本発明は電子ビューファインダーに関するものである。
【背景技術】
【０００２】
放送局向けビデオカメラ装置は、小型の白黒ＣＲＴを用いた電子ビューファインダーが主流で、他にカラーの液晶パネルを用いたものやある程度のサイズの液晶パネルを外部モニターとして用いているものがある。
【０００３】
接眼レンズを覗いて使用する放送局向け電子ビューファインダーでは、接眼レンズと画像表示装置との間にミラーを配置して、画像の光軸を折り曲げているものがほとんどである。
【０００４】
図３は従来技術における電子ビューファインダーの（Ａ）正面図と（Ｂ）上面図である。図３では電子ビューファインダーの内部を部分的に透視した状態を示している。レンズユニット２０１はレンズ２０２を内部に配置し、視度調整リング２０３による視度調整機構を備えている。レンズ部筐体２０４にレンズユニット２０１を挿入することによって、映像を拡大して観ることができる。レンズ２０２の光軸上でレンズ部筐体２０４の壁部２０４ａに、ミラーユニット２０５がレンズ２０２の光軸に対して水平４５度の角度で配置され、ネジ２０６でレンズ部筐体２０４に固定されている。レンズ２０２の光軸がミラーユニット２０５で水平垂直方向に折り曲げられ、その先にＣＲＴ２０７の画面中心が光軸と合うように配置されている。これにより、ＣＲＴ２０７の映像がミラーユニット２０５で折り曲げられ、レンズ２０２の光軸方向になり、レンズ２０２で拡大して観ることができる。ＣＲＴ２０２は、トップケース２０８とボトムケース２０９の内部に配置することにより、ケース内側のスペースを最大限生かした設計になっている。
【０００５】
レンズ部筐体２０４の凹部２０４ｂは円筒状になっており、凹部２０４ｂに摺動部材２１０を巻き付けてトップケース２０８とボトムケース２０９にそれぞれ位置決め固定されたスプリングを適度に押圧することによって回転トルクを出している。
【０００６】
ケース側には前面に各種可変ＶＲ（ボリューム）と各種動作ＳＷ（スイッチ）が配置されている。可変ＶＲ（ボリューム）はＰＥＡＫＩＮＧ（ピーキング）２１１、ＣＯＮＴＲＡＳＴ（コントラスト）２１２、ＢＲＩＧＨＴ（輝度）２１３が適宜間隔で並んでいる。その下に動作ＳＷ（スイッチ）がＴＡＬＬＹ（タリー）２１４、ＺＥＢＲＡ（ゼブラ）２１５と配置されている。
【０００７】
ＣＲＴ２０７を動作させたり電子ビューファインダーとしての各種機能を満足させるための回路を構成する回路基板２１６がボトムケース２０９の内側下面に沿うように外形を形成し配置されている。トップケース２０８を組み付けた状態での回路基板２１６とＣＲＴ２０７のクリアランスを確保した設計となっている。
【０００８】
その他に、マイクホルダーユニット２１７がトップケース２０８にネジ締め固定されている。ＶＦケーブル２１８は内部の回路基板２１６と電気的につながっており、カメラ本体へコネクター部２１８ａを挿入し、電気信号のやり取りを行う。ブッシュ部２１８ｂはボトムケース２０９とトップケース２０８で挟み込んで固定されている。カメラ本体に取り付ける取付金具ユニット２１９は、トップケース２０８とネジ２２０によりネジ締め固定されている。（例えば、特許文献１参照）
【０００９】
図４は従来技術におけるミラーユニットの斜視図である。ミラー３０１はガラスに蒸着処理をして反射面が形成されたものである。ミラー３０１は銅製のプレートＡ３０２と銅製のプレートＢ３０３に保持されている。プレートＡ３０２とプレートＢ３０３はミラー３０１の裏面側において互いに積層され、嵌合などにより互いに固定されている。ミラー３０１はその裏面側においてプレートＡ３０２とプレートＢ３０３に両面テープなどで貼り付けられている。
【００１０】
プレートＡ３０２の短手方向両端には、ミラー３０１の短手方向両端の位置決めと保持を行う直立リブ３０２ａが設けられている。プレートＡ３０２の長手方向一端には、ミラー３０１の長手方向一端の位置決めと保持を行うフック状の屈曲リブ３０２ｂが設けられている。屈曲リブ３０２ｂはミラー３０１の一端をその厚み方向から挟み込むように保持している。プレート３０２Ａは平面的に見てその短手方向及び長手方向へ延在する十字形状又はＴ字形状を成している。
【００１１】
プレートＢ３０３の長手方向一端には、位置決め穴３０３ａ、３０３ｂが設けられている。位置決め穴３０３ａは円形の穴であり、位置決め穴３０３ｂは楕円形の長穴である。位置決め穴３０３ａ、３０３ｂには、レンズ部筐体に設けられた位置決めピンが挿通される。また、プレートＢ３０３の長手方向一端には、ネジ穴３０３ｃが２箇所設けられている。ネジ穴３０３ｃは円形の穴である。ネジ穴３０３ｃには、ミラーユニットをレンズ部筐体に固定するためのネジが挿通される。プレートＢ３０３の長手方向他端には、ミラー３０１の長手方向他端の位置決めと保持を行うフック状の屈曲リブ３０３ｄが設けられている。屈曲リブ３０３ｄはミラー３０１の他端をその厚み方向から挟み込むように保持している。
【００１２】
ミラーユニットをレンズ部筐体に取り付ける際には、プレートＢ３０３の屈曲リブ３０３ｄの外周面に両面テープを貼り付けて、その部分をレンズ部筐体の内面へ押し付けるようにして組み込む。レンズ部筐体とミラーユニットとの間に両面テープが介在することによって、ミラーユニットのガタつきや寸法バラツキによるクリアランス（隙間）が吸収される。
【先行技術文献】
【特許文献】
【００１３】
【特許文献１】特開２０１６−１０３７４２号公報
【発明の概要】
【発明が解決しようとする課題】
【００１４】
カメラマンは電子ビューファインダーに接眼して撮影しながら動き回ることが多く、人ごみの中をかき分けての撮影などよくテレビなどで目にする光景である。そんな状況下でカメラマンが撮影するため、電子ビューファインダーを物に当ててしまったりする。カメラの形から先に障害物に当たるのが電子ビューファインダーの、特にミラーユニットがある付近である。従って、ミラーユニットの取り付け構造や強度は非常に重要であり、筐体や部材の成形バラツキや取り付け精度のバラツキを吸収して、ガタつくことなく安定した取り付け精度や強度を確保することが重要な要素となっている。
【００１５】
図３に示した従来技術における電子ビューファインダーでは、ミラーユニットの外周面とレンズ部筐体の内面との間に両面テープを介在させることにより、ミラーユニットのガタつきを防止しているが、両面テープを貼り付ける作業を安定的に行うことは難しく、また、両面テープの厚みにはバラつきがあることから、ミラーユニットのガタつきを安定的に防止することが難しいという問題があった。
【００１６】
本発明は、以上の問題点に鑑みて成されたものであり、ミラーユニットのガタつきを安定的に防止することが可能な電子ビューファインダーを提供することを目的とする。
【課題を解決するための手段】
【００１７】
画像表示装置と、当該画像表示装置が表示した画像を反射するミラーと、当該ミラーを保持するミラー保持具と、当該ミラー保持具が取り付けられる筐体と、を備えた電子ビューファインダーであって、前記ミラー保持具の外周部には、前記ミラー保持具を前記筐体に取り付けた状態において前記筐体に押圧力を与える弾性部が設けられている、電子ビューファインダーとする。
【００１８】
前記弾性部は、前記筐体に前記押圧力を与える方向へ撓むことにより、前記筐体に前記押圧力を与える電子ビューファインダーであっても良い。
【００１９】
前記弾性部は、前記ミラー保持具と一体的に形成されている電子ビューファインダーであっても良い。
【発明の効果】
【００２０】
本発明によれば、ミラーユニットのガタつきを安定的に防止することができる。
【図面の簡単な説明】
【００２１】
【図１】本発明の一実施例におけるミラーユニットの斜視図
【図２】本発明の一実施例における電子ビューファインダーのレンズ部筐体の（Ａ）断面図と（Ｂ）正面図
【図３】従来技術における電子ビューファインダーの（Ａ）正面図と（Ｂ）上面図
【図４】従来技術におけるミラーユニットの斜視図
【発明を実施するための形態】
【００２２】
図１は本発明の一実施例におけるミラーユニットの斜視図である。ミラー１はガラスの表面に蒸着処理をして反射面が形成されたものである。ミラー１は銅製のプレートＡ２と銅製のプレートＢ３に保持されている。プレートＡ２とプレートＢ３はミラー１の裏面側において互いに積層され、嵌合などにより互いに固定されている。ミラー１はその裏面側においてプレートＡ２とプレートＢ３に両面テープなどで貼り付けられている。
【００２３】
プレートＡ２の短手方向両端には、ミラー１の短手方向両端の位置決めと保持を行う直立リブ２ａが設けられている。プレートＡ２の長手方向一端には、ミラー１の長手方向一端の位置決めと保持を行うフック状の屈曲リブ２ｂが設けられている。屈曲リブ２ｂはミラー１の一端をその厚み方向から挟み込むように保持している。プレート２Ａは平面的に見てその短手方向及び長手方向へ延在する十字形状又はＴ字形状を成している。
【００２４】
プレートＢ３の長手方向一端には、位置決め穴３ａ、３ｂが設けられている。位置決め穴３ａは円形の穴であり、位置決め穴３ｂは楕円形の長穴である。位置決め穴３ａ、３ｂには、レンズ部筐体に設けられた位置決めピンが挿通される。また、プレートＢ３の長手方向一端には、ネジ穴３ｃが２箇所設けられている。ネジ穴３ｃは円形の穴である。ネジ穴３ｃには、ミラーユニットをレンズ部筐体に固定するためのネジが挿通される。
【００２５】
プレートＢ３の長手方向他端には、ミラー１の長手方向他端の位置決めと保持を行うフック状の屈曲リブ３ｄが２箇所設けられている。屈曲リブ３ｄはミラー１の他端をその厚み方向から挟み込むように保持している。また、プレートＢ３の長手方向他端には、フック状の弾性屈曲リブ３ｅが３箇所設けられている。３箇所の弾性屈曲リブ３ｅのうち１つは２箇所の屈曲リブ３ｄの間に配置され、その他の２つは２箇所の屈曲リブ３ｄの間の外側に配置されている。このような対称的なレイアウトは構造的に安定する。
【００２６】
プレートＢ３の弾性屈曲リブ３ｅは曲げ弾性を有し、ミラー１の外周面に対して近接する方向と離反する方向へ撓むことができる。弾性屈曲リブ３ｅの内周面とミラー１の外周面との間には隙間が設けられており、この隙間の範囲内において弾性屈曲リブ３ｅはミラー１に対して近接する方向へ撓むことができる。
【００２７】
図２本発明の一実施例における電子ビューファインダーのレンズ部筐体の（Ａ）断面図と（Ｂ）正面図である。図２に示すレンズ部筐体１０１は図３に示した従来技術における電子ビューファインダーのレンズ部筐体２０４に相当し、図３に示した電子ビューファインダーと同様の電子ビューファインダーに組み込まれて使用される。レンズ部筐体１０１の内面には、篏合用リブ１０１ａと位置決め用ボス（ピン）１０１ｂが形成されている。篏合用リブ１０１ａには、プレートＢ３の弾性屈曲リブ３ｅが嵌合している。位置決め用ボス１０１ｂは、プレートＢ３の位置決め穴３ａ、３ｂに挿通されている。プレートＢ３のネジ穴３ｃにはネジが挿通され、そのネジの先端がレンズ部筐体１０１の内面にねじ込まれることで、プレートＢ３がレンズ部筐体１０１に固定されている。この状態において、プレートＢ３の弾性屈曲リブ３ｅの外周面はレンズ部筐体１０１の篏合用リブ１０１ａの内周面に当接し、その押圧力（反力）により弾性屈曲リブ３ｅはミラー１の外周面に向かって適度に撓んでいる。これにより、レンズ部筐体１０１に対するミラーユニットのガタつきが防止されている。
【００２８】
ミラーユニットをレンズ部筐体１０１に組み込む際には、レンズ部筐体１０１の篏合用リブ１０１ａにプレートＢ３の弾性屈曲リブ３ｅを低荷重で押し付けるようにして位置合わせを行い、プレートＢ３の位置決め穴３ａ、３ｂにレンズ部筐体１０１の位置決め用ボス１０１ｂを挿通させる。その状態でプレートＢ３のネジ穴３ｃにネジを挿通してプレートＢ３をレンズ部筐体１０１にネジ締め固定することにより、ミラーユニットがレンズ部筐体１０１に固定される。
【００２９】
プレートＢ３の弾性屈曲リブ３ｅはプレートＢ３の外周部に４箇所以上に設けられていても良い。
【００３０】
プレートＢ３の複数の弾性屈曲リブ３ｅは互いに接するように設けられていても良いし、プレートＢ３の外周に沿って長く延在するように設けられていても良い。
【００３１】
プレートＢ３の複数の弾性屈曲リブ３ｅはその高さや幅、形状が互いに異なっていても良い。
【００３２】
プレートＢ３の弾性屈曲リブ３ｅはプレートＢ１０２に他の部材を取り付けることにより形成されていても良い。但し、弾性屈曲リブ３ｅはプレートＢ１０２と一体的に形成されている方が構造的に安定する。
【００３３】
プレートＢ３の弾性屈曲リブ３ｅは弾性を有するその他の形態のものに置き換えられても良い。その形態としては、例えば、外部からの押圧力により弾性収縮する形態が挙げられる。
【符号の説明】
【００３４】
１      ミラー
２      プレートＡ
２ａ    直立リブ
２ｂ    屈曲リブ
３      プレートＢ
３ａ    位置決め穴
３ｂ    位置決め穴
３ｃ    ネジ穴
３ｄ    直立リブ
３ｅ    弾性屈曲リブ
１０１    レンズ部筐体
１０１ａ  篏合用リブ
１０１ｂ  位置決め用ボス
２０１    レンズユニット
２０２    レンズ
２０３    視度調整リング
２０４    レンズ部筐体
２０４ａ  壁部
２０４ｂ  凹部
２０５    ミラーユニット
２０６    ネジ
２０７    ＣＲＴ
２０８    トップケース
２０９    ボトムケース
２１０    摺動部材
２１１    ＰＥＡＫＩＮＧ（ピーキング）
２１２    ＣＯＮＴＲＡＳＴ（コントラスト）
２１３    ＢＲＩＧＨＴ（輝度）
２１４    ＴＡＬＬＹ（タリー）
２１５    ＺＥＢＲＡ（ゼブラ）
２１６    回路基板
２１７    マイクホルダーユニット
２１８    ＶＦケーブル
２１８ａ  コネクター部
２１８ｂ  ブッシュ部
２１９    取付金具ユニット
２２０    ネジ
３０１    ミラー
３０２    プレートＡ
３０２ａ  直立リブ
３０２ｂ  屈曲リブ
３０３    プレートＢ
３０３ａ  位置決め穴
３０３ｂ  位置決め穴
３０３ｃ  ネジ穴
３０３ｄ  屈曲リブ
【図１】
2020020941.tif 000003
【図２】
2020020941.tif 000004
【図３】
2020020941.tif 000005
【図４】
2020020941.tif 000006